(57)【要約】【課題】軸への着脱が容易であり、かつ交換頻度を減らすことが可能な軸用カバーを提供する。【解決手段】ベース２から突出して支持台３を支持する軸４を複数有し、ベース２からの各軸４の突出量を変更することによりベース２と支持台３との間の間隔を変更する昇降装置６の各軸４に取り付けられるカバー１０であって、ベース２に軸４を取り囲むように取り付けられる円筒状の内筒部１１と、内径が内筒部１１の外径よりも大きく、かつ内筒部１１と一部がオーバーラップするとともに軸４を取り囲むように支持台３に取り付けられる円筒状の外筒部１２と、を備え、内筒部１１及び外筒部１２は、それぞれ軸線ＣＬ方向に沿って分割可能に構成されている。【選択図】図２
2010156410.tif 000002
【特許請求の範囲】
【請求項１】
ベース部から突出してテーブル部を支持する軸を複数有し、前記ベース部からの各軸の突出量を変更することにより前記ベース部と前記テーブル部との間の間隔を変更する昇降装置の各軸に取り付けられるカバーであって、
前記ベース部又は前記テーブル部の一方に前記軸を取り囲むように取り付けられる円筒状の内筒部と、内径が前記内筒部の外径よりも大きく、かつ前記内筒部と一部がオーバーラップするとともに前記軸を取り囲むように前記ベース部又は前記テーブル部の他方に取り付けられる円筒状の外筒部と、を備え、
前記内筒部及び前記外筒部は、それぞれ軸線方向に沿って分割可能に構成されていることを特徴とする軸用カバー。
【請求項２】
前記テーブル部が前記ベース部の上方に配置され、
前記外筒部が前記テーブル部に取り付けられるとともに、前記内筒部が前記ベース部に取り付けられていることを特徴とする請求項１に記載の軸用カバー。
【請求項３】
前記内筒部と前記外筒部との間の隙間に挟み込まれるシール部材をさらに備えていることを特徴とする請求項１又は２に記載の軸用カバー。
【請求項４】
前記内筒部及び前記外筒部は、ステンレス製であることを特徴とする請求項１〜３のいずれか一項に記載の軸用カバー。
【発明の詳細な説明】
【技術分野】
【０００１】
本発明は、ベース部から突出してテーブル部を支持する各軸の突出量を変更することによりベース部とテーブル部との間の間隔を変更する昇降装置の各軸に取り付けられるカバーに関する。
【背景技術】
【０００２】
缶に飲料を充填するための飲料充填装置が知られている。このような飲料充填装置では、所定の高さに缶を保持し、その保持されている缶に上方から充填バルブを挿入して飲料を充填する。そして、このような飲料充填装置では、高さが異なる缶に飲料を充填することがある。この場合、缶を保持する機構を昇降装置で上下動させ、これにより缶と充填バルブとの間の間隔を調整している。このような昇降装置としては、缶を保持する機構などが設けられるテーブルをベースから上方に突出させた複数の軸で支持し、それらの軸の突出量を変更可能なものが知られている。そして、一般にこのような昇降装置の軸には、軸に飲料などがかからないように保護カバーが取り付けられている。このような軸等を保護するカバーとしては、例えば、配管や配線をシート部で収容して保護する保護ダクトが知られている（特許文献１参照）。その他、本発明に関連する先行技術文献として特許文献２が存在する。
【０００３】
【特許文献１】特開２０００−１７０９８６号公報
【特許文献２】特開２００６−２６６３８８号公報
【発明の開示】
【発明が解決しようとする課題】
【０００４】
特許文献１のカバーのようにシートで軸を覆うものでは、伸縮時にシートが擦れてシートに穴が開くことがある。そのため、カバーを伸縮させる頻度が高い軸に使用すると、シートに直ぐに穴が開き、カバーの交換頻度が高くなるおそれがある。
【０００５】
そこで、本発明は、軸への着脱が容易であり、かつ交換頻度を減らすことが可能な軸用カバーを提供することを目的とする。
【課題を解決するための手段】
【０００６】
本発明の軸用カバーは、ベース部（２）から突出してテーブル部（３）を支持する軸（４）を複数有し、前記ベース部からの各軸の突出量を変更することにより前記ベース部と前記テーブル部との間の間隔を変更する昇降装置（６）の各軸に取り付けられるカバー（１０）であって、前記ベース部又は前記テーブル部の一方に前記軸を取り囲むように取り付けられる円筒状の内筒部（１１）と、内径が前記内筒部の外径よりも大きく、かつ前記内筒部と一部がオーバーラップするとともに前記軸を取り囲むように前記ベース部又は前記テーブル部の他方に取り付けられる円筒状の外筒部（１２）と、を備え、前記内筒部及び前記外筒部は、それぞれ軸線（ＣＬ）方向に沿って分割可能に構成されていることにより、上述した課題を解決する。
【０００７】
本発明の軸用カバーによれば、外筒部の一部を内筒部にオーバーラップさせることにより軸の全体を保護しつつ、軸の突出量を変更可能としている。そして、これら内筒部及び外筒部は、軸線方向に沿って分割可能であるため、軸に容易に着脱することができる。さらに、外筒部の内面と内筒部の外面とが接触しないように外筒部の内径及び内筒部の外径を設定することにより、これらの筒部同士が擦れることを防止できる。そのため、交換頻度を減らすことができる。
【０００８】
本発明の軸用カバーの一形態において、前記テーブル部が前記ベース部の上方に配置され、前記外筒部が前記テーブル部に取り付けられるとともに、前記内筒部が前記ベース部に取り付けられていてもよい。この場合、内筒部や外筒部の外面に水滴や異物が付着してもこれらが内筒部や外筒部の内側に入り込むことを十分に抑制できる。
【０００９】
本発明の軸用カバーの一形態において、前記内筒部と前記外筒部との間の隙間に挟み込まれるシール部材（１７）をさらに備えていてもよい。この場合、内筒部や外筒部の内側に水滴や異物をさらに入り込み難くすることができる。
【００１０】
本発明の軸用カバーの一形態において、前記内筒部及び前記外筒部は、ステンレス製であってもよい。この場合、衛生的であり、また内筒部及び外筒部の洗浄が容易である。
【００１１】
なお、以上の説明では本発明の理解を容易にするために添付図面の参照符号を括弧書きにて付記したが、それにより本発明が図示の形態に限定されるものではない。
【発明の効果】
【００１２】
以上説明したように、本発明によれば、軸を保護するための内筒部及び外筒部をそれぞれ軸線方向に沿って分割可能にしたので、これらを軸に容易に着脱することができる。また、外筒部の内面と内筒部の外面とが接触しないように外筒部の内径及び内筒部の外径を設定することにより、外筒部及び内筒部をそれぞれ破損し難くすることができる。そのため、交換頻度を減らすことができる。
【発明を実施するための最良の形態】
【００１３】
図１は缶に飲料を充填する飲料充填装置の一部を概略的に示している。この飲料充填装置１は、不図示の架台に支持されるベース部としてのベース２と、そのベース２の上方に配置されて缶を保持するための保持機構（不図示）が取り付けられるテーブル部としての支持台３と、を備えている。支持台３は、ベース２から上方に突出する複数（図１では１つのみを示す。）の軸４にて支持されている。支持台３の外周には、支持台３の上方に設けられる機構を支持するための支持部材５が設けられている。ベース２の下面には、昇降装置６が固定されている。この昇降装置６は、ベース２よりも上方に突出する軸４の突出量を変更するものである。軸４は、この昇降装置６からベース２を貫通して上方に延びている。この飲料充填装置１では、高さが異なる缶に飲料を充填する。この際、飲料充填装置１を高さが異なる缶に対応させるためにベース２と支持台３との間の間隔を昇降装置６にて調整する。
【００１４】
この図に示したように軸４の周囲には、本発明の一形態に係るカバー１０が設けられている。図２は、カバー１０の軸線方向断面図を示している。この図に示したようにカバー１０は、内筒部１１と、その内筒部１１の外側に配置される外筒部１２とを備えている。内筒部１１及び外筒部１２は、例えばステンレス鋼で形成される。ベース２には、上方に突出する段差部２ａが設けられており、軸４はその段差部２ａから突出している。内筒部１１は、段差部２ａにボルト１３で固定されている。この内筒部１１は、軸線ＣＬに沿って第１内筒部材１１ａと第２内筒部材１１ｂとに分割可能に構成されている。各内筒部材１１ａ、１１ｂは、それぞれ２個の連結部１４を備えている。２つの連結部１４は、一方が各内筒部材１１ａ、１１ｂの上部に、他方が各内筒部材１１ａ、１１ｂの下部に設けられている。そして、第１内筒部材１１ａの連結部１４と第２内筒部材１１ｂの連結部１４とがボルト１５で連結されることにより、円筒状の内筒部１１が形成される。
【００１５】
内筒部１１の上端には、径方向内側に凹む溝１６が設けられている。この溝１６は内筒部１１の外周に全周に亘って設けられている。そして、この溝１６には、シール部材としてのＯリング１７が嵌め込まれている。Ｏリング１７は内筒部１１と外筒部１２との間に挟まり、これにより内筒部１１と外筒部１２との間を塞ぐ。上述したようにベース２と支持台３との間の間隔は、昇降装置６にて調整される。内筒部１１の高さには、その昇降装置６にて調整される範囲の下限値よりも小さい値が設定される。すなわち、昇降装置６にてベース２と支持台３との間の間隔を最も狭くした場合においても内筒部１１の上端が支持台３に干渉しないように内筒部１１の高さが設定される。
【００１６】
図２に示したように支持台３には下方に突出する段差部３ａが設けられている。この段差部３ａは、ベース２の段差部２ａと対向するとともにその段差部２ａと同軸になるように支持台３に設けられている。そのため、軸４は、段差部２ａと段差部３ａとの間に介在する。外筒部１２は、段差部３ａに取り付けられている。外筒部１２は、その内径が内筒部１１の上端の外径よりも若干大きい。そのため、外筒部１２を内筒部１１の外側に嵌めることができる。外筒部１２の上端には、その上端を段差部３ａに嵌め込むことが可能なように嵌合穴１８が設けられている。この嵌合穴１８は、段差部３ａに対して締まりばめになるようにその内径が設定されている。このように嵌合穴１８の内径を設定することにより、この嵌合穴１８で外径部１２を段差部３ａに固定することができる。
【００１７】
外筒部１２は、軸線ＣＬ方向に沿って第１外筒部材１２ａと第２外筒部材１２ｂとに分割可能に構成されている。各外筒部材１２ａ、１２ｂの下端には、内筒部材１１ａ、１１ｂと同様に連結部１９が設けられている。同様に各外筒部材１２ａ、１２ｂの上端にも連結部２０が設けられている。そして、これら連結部１９、２０がボルト２１、２２で連結されることにより、円筒状の外筒部１２が形成される。外筒部１２の高さは、昇降装置６にて調整される範囲の下限値より小さく、昇降装置６によってベース２と支持台３との間の間隔がその範囲の上限値になっても外筒部１２の下端が内筒部１１の上端とオーバーラップするように設定される。このように外筒部１２の高さを設定することにより、内筒部１１と外筒部１２とを確実にオーバーラップさせることができる。
【００１８】
本形態のカバー１０によれば、外筒部１２の下端が内筒部１１の上端にオーバーラップしているので、軸４の全体を保護することができる。また、内筒部１１に対して外筒部１２をスライドさせることができるので、軸４の突出量を変更することができる。内筒部１１及び外筒部１２は、それぞれ軸線ＣＬ方向に沿って分割可能に構成されているので、軸４に容易に着脱することができる。外筒部１２の内径は、内筒部１１の外径よりも若干大きく設定されているので、外筒部１２と内径部１１が擦れることを防止できる。そのため、破損などを十分に抑制し、交換頻度を減らすことができる。
【００１９】
上述したように内筒部１１がベース２に、外筒部１２が支持台３にそれぞれ取り付けられるので、内筒部１１や外筒部１２の外面に水滴や異物が付着して垂れても、それら水滴や異物が内筒部１１や外筒部１２の内側に入ることを抑制できる。また、内筒部１１の上端と外筒部１２との間にはＯリング１７が設けられているので、このＯリング１７によっても水滴や異物が内筒部１１や外筒部１２の内側に入ることを抑制できる。さらに内筒部１１及び外筒部１２はステンレス製であるため、衛生的であるとともにこれらの洗浄を容易に行うことができる。
【００２０】
本発明は上述した形態に限定されることなく種々の形態にて実施してよい。例えば、内筒部が上方に取り付けられ、外筒部が下方に取り付けられてもよい。本発明のカバーが軸に取り付けられる昇降装置は、飲料充填装置に設けられる昇降装置に限らず、それ以外の装置に組み込まれた昇降装置の軸に適用してもよい。内筒部及び外筒部の材質はステンレス鋼に限定されない。例えば、透明な材質で形成してもよい。この場合、カバーを外すことなく軸の状態を見ることができる。
【図面の簡単な説明】
【００２１】
【図１】本発明の一形態に係る軸用カバーが軸に取り付けられた飲料充填装置の一部を概略的に示す図。
【図２】カバーの軸線方向断面図。
【符号の説明】
【００２２】
２  ベース（ベース部）
３  支持台（テーブル部）
４  軸
６  昇降装置
１０  カバー
１１  内筒部
１２  外筒部
１７  Ｏリング（シール部材）
ＣＬ  軸線
【図１】
2010156410.tif 000003
【図２】
2010156410.tif 000004